(57)【特許請求の範囲】
【請求項１】
緯糸検知用の光線が上下方向に通るスリットであって筬打ちに伴って緯糸が導入される緯糸入口を先端側に備えるスリットを有するフィーラ本体と、該フィーラ本体の側方に配置された案内部材であって緯糸を案内する案内面及び該案内部よりも先端側に位置して前記案内面へ緯糸を誘導する誘導面を有する緯糸案内部材とを含み、
前記案内面は、少なくとも前記光線が通る位置を含む領域が、上下方向における前記スリットの位置の近傍で、緯入れ方向から見て緯糸の通過を許す角度で前記スリットの延在方向に対し交差する方向に伸びるように形成されている、緯糸フィーラ。
【請求項２】
緯糸検知用の光線が上下方向に通るスリットであって緯糸入口を一端に備えるスリットを有するフィーラ本体と、該フィーラ本体の側方に配置されて緯糸を案内する案内面を有する緯糸案内手段とを含み、
前記スリット及び前記案内面の少なくとも一方は、上下方向における前記スリットの位置に、上下方向に突出する複数の凸部であって緯糸が該凸部にならって進行することにより上下に振動する複数の凸部を、前記スリットの延在方向へ伸びる端面に有する、緯糸フィーラ。
【請求項３】
前記案内面は、前記スリットに対応する高さ位置領域を上下方向のいずれか一方側から他方側へ横断している、請求項１又は２に記載の緯糸フィーラ。
【請求項４】
前記案内面は、少なくとも前記光軸よりも前記緯糸入口側に配置されている、請求項１，２又は３に記載の緯糸フィーラ。
【請求項５】
前記案内部材は、さらに、緯糸を前記案内面に押し付ける補助案内面を前記案内面に対し前記フィーラ本体と反対側の側方に有する、請求項１から４のいずれか１項に記載の緯糸フィーラ。
【請求項６】
前記案内面は前記フィーラ本体に対し緯入れ方向上流側に配置された案内部材に形成されている、請求項１から５のいずれか１項に記載の緯糸フィーラ。
【請求項７】
緯糸検知用の光線が上下方向に通るスリットであって筬打ちに伴って緯糸が導入される緯糸入口を先端側に備えるスリットを有するフィーラ本体と、上下方向に関する前記スリットの位置で、前記スリットの延在方向に沿って設けられて上下方向に伸びる可撓性を有する複数の線材とを含み、前記線材は、前記スリットと、前記フィーラ本体の側方に配置された部材との少なくとも一方に設けられている、緯糸フィーラ。
【発明の詳細な説明】
【０００１】
【発明の属する技術分野】
本発明は、ジェットルームのような無杼織機における緯糸フィーラに関する。
【０００２】
【従来の技術】
薄い板状をしたいわゆるテープ状の緯糸（フラットヤーンすなわちフラット糸）を用いる、テープのような織布（基布）の生産には、これまでレピア織機が用いられている。しかし、レピア織機では織布の生産性を高めることに限界がある。現在では、緯入ノズルや緯糸フィーラ等の緯入れ部材の改良が行われ、テープ状の織布をウォータジェット織機で製織可能になってきつつある。
【０００３】
ジェット織機の緯糸を検知可能の緯糸フィーラの１つとして、緯糸が筬打ちにともなって通過することを許すスリットを、緯入れ用圧力水の一部が滞留するように、フィーラ本体に設け、このフィーラ本体に緯糸検知用光線の光軸を、その光線がスリットを上下方向に通過するように形成したものがある（特公昭５７−１３６５３号）。
【０００４】
この従来技術においては、緯糸がスリットを通過する際に、スリット内における緯糸検知用光線の光路を横切ることにより、受光素子に向かう光線に光量変化を生じさせ、その光量変化から緯糸の有無を検知する。
【０００５】
しかし、上記従来技術では、テープ状の緯糸が半透明の緯糸の場合、その緯糸が水に濡れると、無色透明の状態となり、その結果緯糸がスリットを通過しても、受光素子への光量（受光量）の変化が得られず、緯糸を検知することができない。
【０００６】
【解決しようとする課題】
また、ウォータジェット織機で、スリット内への緯入れ用噴射水の進入を防止する技術として、種々の緯糸フィーラが提案されている（例えば、特開平６−１８４８８０号、特開平１０−１６８７１２号）。しかし、いずれの従来技術も、テープ状の緯糸の検知については、何ら考慮していない。
【０００７】
本発明の目的は、筬打ちにともなう緯糸の通過を許すスリットを備えた緯糸フィーラにおいて、特に緯糸を確実に検知可能にすることにある。
【０００８】
【解決手段、作用、効果】
本発明に係る緯糸フィーラは、緯糸検知用の光線が上下方向に通るスリットであって筬打ちに伴って緯糸が導入される緯糸入口を先端側に備えるスリットを有するフィーラ本体と、該フィーラ本体の側方に配置された案内部材であって緯糸を案内する案内面及び該案内部よりも先端側に位置して前記案内面へ緯糸を誘導する誘導面を有する緯糸案内部材とを含み、前記案内面は、少なくとも前記光線が通る位置を含む領域が、上下方向における前記スリットの位置の近傍で、緯入れ方向から見て緯糸の通過を許す角度で前記スリットの延在方向に対し交差する方向に伸びるように形成されている。
【０００９】
ここで、「スリットの位置の近傍」とは、スリットを通過する緯糸が案内部材の案内面に接触しても、該案内面により緯糸の通過を阻害しない、スリットの上下方向の位置を含む。
【００１０】
上記の緯糸フィーラにおいて、緯糸は、スリットを通過する途中において案内面により案内されて進むことにより、姿勢を変更されて、スリット内の緯糸部分の姿勢も変えられる。これにより、緯糸はスリット内に滞留する水をより掻き出すようにスリット内を進むため、従来に比べ、より大きな揺らぎがスリット内の水に発生する。
【００１１】
上記の結果、緯糸フィーラによれば、従来に比べ、水の揺らぎによる大きな光量変化がスリットを通過する光線に確実に発生し、受光素子での受光量信号の変化も大きくかつ確実に発生し、緯糸を確実に検知することができる。
【００１２】
本発明に係る他の緯糸フィーラは、緯糸検知用の光線が上下方向に通るスリットであって緯糸入口を一端に備えるスリットを有するフィーラ本体と、該フィーラ本体の側方に配置されて緯糸を案内する案内面を有する緯糸案内手段とを含み、前記スリット及び前記案内面の少なくとも一方は、上下方向における前記スリットの位置に、上下方向に突出する複数の凸部であって緯糸が該凸部にならって進行することにより上下に振動する複数の凸部を、前記スリットの延在方向へ伸びる端面に有する。
【００１３】
他の緯糸フィーラにおいて、緯糸は、スリットを通過する途中において案内面の凹部又は凸部にならって進むことにより、振動を生じながらスリット内を進む。これにより、従来に比べ、より大きな揺らぎがスリット内の水に発生する。
【００１４】
上記の結果、他の緯糸フィーラによれば、最初の緯糸フィーラと同様に、従来に比べ、大きな光量変化がスリットを通過する光線に確実に発生し、受光素子での受光量信号の変化も大きくかつ確実に発生し、緯糸を確実に検知することができる。
【００１５】
前記案内面は、前記スリットに対応する高さ位置領域を上下方向のいずれか一方側から他方側へ横断していてもよく、また少なくとも前記光軸よりも前記緯糸入口側に配置されていてもよい。
【００１６】
前記案内手段は、さらに、緯糸を前記案内面に押し付ける補助案内面を前記案内面に対し前記フィーラ本体と反対側に間隔をおいて有することができる。そのようにすれば、緯糸が確実に案内面にならって移動するから、水の揺らぎをより確実に大きくなる。
【００１７】
前記案内面は前記フィーラ本体に対し緯入れ方向上流側に配置された案内部材に形成されていてもよい。そのようにすれば、案内部材がフィーラ本体に対する防水板として作用するから、防水のための別個の部材をわざわざ設ける必要がなく、構造が簡略化される。
【００１８】
本発明に係るさらに他の緯糸フィーラは、緯糸検知用の光線が上下方向に通るスリットであって筬打ちに伴って緯糸が導入される緯糸入口を先端側に備えるスリットを有するフィーラ本体と、上下方向に関する前記スリットの位置で、前記スリットの延在方向に沿って設けられて上下方向に伸びる可撓性を有する複数の線材とを含み、前記線材は、前記スリットと、前記フィーラ本体の側方に配置された部材との少なくとも一方に設けられている。
【００１９】
さらに他の緯糸フィーラにおいて、緯糸は、スリットを通過する途中において線材に係合しつつスリット内を通過するから、線材の可撓性により姿勢を変更されて、スリット内の緯糸部分の姿勢も変えられる。これにより、従来に比べ、より大きな揺らぎがスリット内の水に発生する。
【００２０】
上記の結果、さらに他の緯糸フィーラによれば、上記２つの緯糸フィーラと同様に、従来に比べ、水の揺らぎによる大きな光量変化がスリットを通過する光線に確実に発生し、受光素子での受光量信号の変化が大きくかつ確実に発生し、緯糸を確実に検知することができる。
【００２１】
さらに他の緯糸フィーラは、さらに、前記フィーラ本体の側方に配置されて緯糸を案内する案内面を有する緯糸案内手段を含み、前記線材は前記案内面に形成されていてもよい。
【００２７】
【発明の実施の形態】
図１を参照するに、緯糸フィーラ１０は、テープ状のフラット糸を緯糸１２及び経糸１４として用いて、テープ状すなわち帯状の基布すなわち織布１６を製織するウォータジェット織機に用いられている。フラット糸を緯糸１２のみに用いる織機に用いてもよい。
【００２８】
緯糸１２は、図示しない緯入ノズルから緯入れ用の圧力水と共に噴射されて、厚さ方向を上下方向とされた経糸１４の開口内に厚さ方向を上下方向とされた状態で緯入れされ、筬１８により織前に打ち付けられて、織布１６に織り込まれる。
【００２９】
緯糸フィーラ１０は、基部及び先端部の境界において曲げられて平面的に見てＬ字状をしたフィーラ本体２０と、フィーラ本体２０の先端部にフィーラ本体２０から緯入れ方向に間隔をおいて組み付けられて緯糸１２の案内手段として作用する一対の案内部材２２，２４とを含む。より詳しくは、フィーラ本体２０は、反緯入れ側織端よりも緯入れ側に検知領域を有するべく、織端端側から伸びる上・下の部材３４，３６により、上下方向から織布を挟み込むように設けられている。
【００３０】
緯糸フィーラ１０は、案内部材２２，２４がフィーラ本体２０に対し緯入れ方向における上流側となるように、フィーラ本体２０の基部において取付部材２６によりテンプルバー２８に緯入れ方向及び上下方向の位置を調整可能に組み付けられている。
【００３１】
図２に示すように、フィーラ本体２０は、筬打ちにともなって緯糸１２が通過することを許すスリット３０を先端部に有していると共に、スリット３０を通過して筬打ちされた緯糸１２を待機させる開放空間３２を有している。
【００３２】
スリット３０は、緯糸１２の検知通路として作用するように、開放空間３２より小さい一定の幅寸法を有しており、また緯糸１２の移動方向５８へ略平行に伸びている。スリット３０の幅寸法（上下方向における寸法）は、噴射された水滴の一部がフィーラ本体２０の表面を伝ってスリット３０内に進入して、常に水がスリット３０内に滞留するような値、例えば数ｍｍとすることができる。
【００３３】
開放空間３２は、基部から先端部にわたって伸びて、スリット３０に連続している。このため、フィーラ本体２０の少なくとも先端部は、スリット３０及び開放空間３２により、緯糸１２が通過可能の上下の部材３４，３６に分割されている。
【００３４】
つまり、上及び下の部材３４及び３６は、それぞれ、緯糸１２を部材３４及び３６の先端部から部材３４及び３６の下端面及び上端面に向けて内向きに誘導するように緯糸の進入方向に延在する誘導面を先端部に形成すると共に、部材３４及び３６の下端面及び上端面のうち、誘導面に続く第１の面領域を所定の間隔だけ上下方向に離間させて平行に延在させることによりスリット３０を形成し、さらには第１の面領域に続く第２の面領域を第１の面領域よりもさらに上下方向に離間させて平行に延在させることにより開放空間３２を形成している。
【００３５】
フィーラ本体２０は、図示しない投光素子で発生された緯糸検知用の光線をスリット３０に案内する光ファイバー３８と、スリット３０を通過した光線を受けてその光線を図示しない受光素子に案内する光ファイバ４０とを備えている。これにより、スリット３０を通過する光線の光路とその光軸５６とがスリット３０に形成される。
【００３６】
図示の例では、投光素子に接続される光ファイバー３８を上部材３４に配置し、受光素子に接続される光ファイバー４０を下部材３６に配置しているが、両光ファイバーの位置関係を上下逆にして、光ファイバー３８を下部材３６に配置し、光ファイバー４０を上部材３４に配置してもよい。
【００３７】
案内部材２２及び２４は、スリット３０を緯入れ側において共同して覆うように、及び案内部材２４が案内部材２２に対し反緯入れ側（フィーラ本体２０側）に位置するように、それぞれ、図１に示すスペーサ４２及び４４と図示しないねじ部材とにより、フィーラ本体２０に緯入れ方向（図２（Ａ）において、紙面に垂直の方向）に間隔Ｄ2をおいて組み付けられている。
【００３８】
案内部材２２の先端部の下端領域と案内部材２４の先端部の上端領域とは、上下方向におけるスリット３０の高さ位置と同じ高さ位置において、重複量Ｄ1だけスリット３０に対し重複されている。これにより、案内部材２２の先端部の下端領域と案内部材２４の先端部の上端領域とはそれぞれ緯糸１２を案内する案内部として作用し、それら案内部の下面及び上面はそれぞれスリット３０と平行に伸びる案内面４６及び４８として作用する。
【００３９】
案内部材２２及び２４並びに部材３４及び３６の先端面は、筬打ちにともなって移動する緯糸１２を受け入れて対応する案内部材２２及び２４間並びに部材３４及び３６間に誘導するように、それぞれ弧状の誘導面とされていると共に、緯糸入口５０及び５２をそれぞれ共同して形成している。
【００４０】
案内部材２２，２４は、フィーラ本体２０の開放空間３２と同様の趣旨の開放空間５４を共同して形成している。開放空間５４は、案内部材２２，２４の案内面４６，４８間の間隙に連通している。
【００４１】
緯入れ時、緯糸１２は図示しない緯入ノズルから圧力水と共に噴射される。このとき、案内部材２２，２４はフィーラ本体２０に対する防水板として作用する。このため、圧力水がスリット３０に直接進入することを阻止する、いわゆる防水のための別個の部材をわざわざ設ける必要がなく、緯糸フィーラの構造が簡略化される。
【００４２】
経糸１４の開口に緯入れされた緯糸１２が筬打ちされるとき、緯糸１２は、筬打ちにともなって、図２に示す矢印の高さ位置をその矢印方向へ移動される。これにより、緯糸１２は、先ず案内手段の案内部材２４の先端の弧状誘導面に当接し、次いで案内部材２２の先端の弧状誘導面に当接する。これにより、緯糸１２は、両弧状誘導面により案内されて、緯糸入口５０から案内部材２２，２４の間に入り込む。
【００４３】
次いで、緯糸１２は、フィーラ本体２０の部材３４，３６の先端の弧状誘導面に当接し、両弧状誘導面により案内されて、緯糸入口５２から部材３４，３６の間のスリット３０に入り込む。
【００４４】
次いで、緯糸１２は、案内部材２２，２４の間及びスリット３０内を移動し、最終的に開放空間３２，５４に移動する。緯糸１２は、これがスリット３０を移動するとき、スリット３０を通過する光線を遮る。これにより、受光素子での受光量が変化して、受光量信号が変化する。しかし、緯糸が半透明フラット糸の場合、そのような緯糸は、緯入れにより水に濡れると、無色透明の状態になり、その結果緯糸がスリット（光路）を通過しても、受光量の変化が得られない。
【００４５】
緯糸１２は、案内面４６，４８を形成している案内部が重複されているため、案内部材２２，２４の間を移動するとき、図２（Ａ）及び（Ｂ）に示すように、案内部材２２の案内面４６により案内部材２４の案内面４８の押圧されると共に、緯糸検知用光線の光軸よりも緯糸入口５０側において両案内面４６，４８に接触して屈曲されながらスリット３０を通過する。
【００４６】
つまり、緯糸１２は、筬打ち運動により両案内面４６，４８に接触して湾曲しつつ、いわゆるしごかれながら両案内面４６，４８を通過する。これにより、大きな振動が両案内面４６，４８を通過する緯糸部分に生じ、この振動がスリット３０内を通過する緯糸部分にも伝わるから、緯糸１２に大きな振動が生じる。その結果、スリット３０内に滞留する水に大きな揺らぎが生じて、スリット３０を通過する光量が大きく変化する。結果として、受光素子での受光量信号の変化が大きくかつ確実に発生し、緯糸１２が確実に検知される。
【００４７】
案内部材２２，２４の案内部の重複量Ｄ1及び間隔Ｄ2は、受光素子における実際の受光量信号の発生状況を観察しつつ、適宜な値に設定される。重複量Ｄ1及び間隔Ｄ2は、緯糸１２の種類（特に、幅寸法）に応じて、例えば、重複量Ｄ1＝０．７ｍｍ〜３ｍｍ、間隔Ｄ2＝０．７ｍｍ〜２ｍｍとすることができる。
【００４８】
重複量Ｄ1を大きくするか、又は間隔Ｄ2を小さくすれば、緯糸がスリット３０、特に光軸より緯糸入口側の領域を通過するときの緯糸の振動（びびり）が大きくなる。しかし、重複量Ｄ1及び間隔Ｄ2は緯糸の通過を妨げない範囲に設定することが好ましい。特に、重複量Ｄ1及び間隔Ｄ2の少なくとも一方は、緯糸１２がスリット３０を通過する際に振動を生じかつ緯糸１２の通過を許す範囲に設定することが好ましい。
【００４９】
フィーラ本体２０と案内部材２４との間隔は、両者の間に水が滞留しない値、例えば２ｍｍから５ｍｍ程度の値とすることが好ましい。
【００５０】
図３を参照するに、緯糸フィーラ１０は、さらに、光源としての投光器６０と、投光器６０からスリット３０を経た光線を受光する受光器６２と、受光器６２における検出信号すなわち受光量信号を増幅する交流増幅回路６４と、緯糸検知のための閾値を設定する閾値設定器６６と、増幅器６４の出力信号及び閾値を用いて緯糸の有無を判定する判別回路６８とを含む。
【００５１】
投光器６０は緯糸検知用の光線を図２における光ファイバ３８に指向させ、受光器６２は光ファイバ４０からの光線を受けて、受光量に対応する電気信号（すなわち、受光量信号）を発生する。
【００５２】
交流増幅回路６４は、図示の例では、カップリングコンデンサ７０及び抵抗器７２を受光器６２の出力と演算増幅器７４の負側入力との間に直列に接続し、帰還用の可変抵抗器７６を演算増幅器７４に並列的に接続し、演算増幅器７４の正側入力をアースに接続している。
【００５３】
すなわち、交流増幅回路６４は、反転増幅器を構成しており、受光器６２からの検出信号をカップリングコンデンサ７０に通し、その交流成分を演算増幅器７４に入力し、交流成分の信号を演算増幅器７４において可変抵抗器７６より決定される増幅度にしたがって位相判定し、位相反転した信号を出力するように構成されている。
【００５４】
判別回路６８は、所定の検知期間を有するタイミング信号が入力したとき、そのときの受光量信号のレベルが閾値設定器６６に設定された閾値以上であるか否かを判定し、閾値以上であるときは糸あり信号を、また閾値未満であるときは糸なし信号をそれぞれ端子８０に論理出力する。糸なし信号は、織機を停止させる異常信号として用いることができる。
【００５５】
糸検知用のタイミング信号は、織機の主軸８２にこの主軸８２と共に回転するように組み付けられたドグ８４を近接センサ８６で検出することにより発生される。そのようなタイミング信号として、主軸８２の回転角度で、３１５°から３４５°の検知期間を有する信号を用いることができる。
【００５６】
図２に示す形状のフィーラ本体２０及び案内部材２２，２４を用い、案内部材２２，２４の重複量Ｄ1及び間隔Ｄ2を変えたときに、オシログラフに得られた信号波形を図４及び図５に示す。
【００５７】
測定条件
【００５８】
(1)  緯糸は、厚さ０．０２ｍｍ及び幅４．２ｍｍのポリエチレンフィルムと
した。
【００５９】
(2)  織機の回転数は、６００ｒｐｍとした。
【００６０】
(3)  フィーラ本体２０と案内部材２４との間隔は、３ｍｍとした。
【００６１】
(4)  案内部材２２，２４の間隔Ｄ2は、１ｍｍとした。
【００６２】
(5)  糸検知用タイミング信号ＦＴは、図３における検出センサ８６の出力点Ａにおいて検出した。図４及び図５のいずれの場合も、回転角度で、３１５°から３４５°の検知期間を有していた。
【００６３】
(6)  糸信号ＦＳＩＧは、図３における交流増幅器６４の出力点Ｂにおいて検出した。
【００６４】
案内部材２２，２４の重複量Ｄ1について、図４に示す波形は０．５ｍｍ、図５に示す波形は２ｍｍとした。
【００６５】
参考までに、通常の緯糸の緯入れ時における信号波形を図６に示す。この例においては、ナイロン５０ｄの緯糸を用い、織機を６５０ｒｐｍで回転させたことを除いて、図４に示す波形のときの条件と同じにした。
【００６６】
図４の波形から明らかなように、案内部材２２，２４の重複量Ｄ1が少ないと、半透明の緯糸は、これが水に濡れると、さらに無色透明状態になって、緯糸がフィーラ本体のスリット及び案内手段の案内部材間を通過しているにもかかわらず、スリットを通過する際の緯糸の振動に起因して受光信号が変化する糸信号は得られない。
【００６７】
これに対し、図５の例においては、緯糸が案内手段の案内部材間を通過する際の緯糸の振動に起因して受光信号が大きく変化し、それにより大きな糸信号が確実に得られた。
【００６８】
また、図６に示す例から明らかなように、検知が比較的容易な一般的な緯糸では、重複量Ｄ1が図４に示す例と同じであっても、受光信号の変化が大きく、したがってレベルの大きい糸信号が一回発生している。この糸信号の発生時期は、緯糸が筬打ちによりスリット内の光軸を通過する時期とほぼ一致している。
【００６９】
これに対し、図５に示す例では、重複量Ｄ1を大きくすることにより、図６に示すれに比べて低いレベルではあるが、比較的長い期間にわたって糸信号が発生された。よって、４．２ｍｍという幅広の緯糸の検知は、図５に示す例により確実に行える。
【００７０】
ストロボ発光により緯糸の通過姿勢を観察したところ、図５に示す例においては、案内部材２２，２４の案内面４６，４８を通過する際、緯糸が幅方向に折れ曲がった状態で通過することが確認された。このため、図５の例においては、緯糸の振動がほぼ安定的に生じ、それにより糸信号が比較的長期間にわたって発生するものと考えられる。
【００７１】
しかし、緯糸の幅寸法が小さくなると、糸信号のレベルが小さくなることも確認された。その原因を確認すべく上記と同様にストロボ発光により緯糸の通過姿勢を観察したところ、幅寸法の小さい緯糸は、折れ曲がりのない状態で案内部材２２，２４の案内面４６，４８を通過することが確認された。
【００７２】
次に、幅寸法の小さい緯糸であっても、緯糸が幅方向に折れ曲がった状態で案内部材２２，２４の案内面４６，４８を通過する案内手段の実施例について、説明する。
【００７３】
図７を参照するに、案内手段の案内部材９２の先端部下端領域と、案内部材９４の先端部の上端領域とは、上下方向におけるスリット３０の高さ位置と同じ高さ位置において、重複量Ｄ1だけスリット３０に対し重複されている。これによ
り、案内部材９２の先端部の下端領域と案内部材９４の先端部の上端領域とは緯糸１２を案内する案内部として作用し、それら案内部の下面及び上面はそれぞれ案内面９６及び９８として作用する。
【００７４】
案内部材９２の案内面９６は緯糸１２の移動面やスリット３０に対し緯糸入口５０から開放空間５４に向けて斜め下方に傾斜してスリット３０の高さ位置に対応する領域を斜めに横断する傾斜案内面とされている。案内部材９４の案内面９８は、緯糸１２の移動面やスリット３０に対し緯糸入口５０から開放空間５４に向けて斜め上方に傾斜してスリット３０の高さ位置に対応する領域を斜めに横断する傾斜案内面とされている。いずれの傾斜案内面も、水平方向に見て、スリット３０を斜めに横断して上下方向へ伸びている。
【００７５】
筬打ち時、緯糸１２は、筬打ちにともなって、矢印の高さ位置をその矢印方向へ移動される。これにより、緯糸１２は、先ず案内手段の案内部材９４の弧状誘導面に当接し、次いで案内部材９２の弧状誘導面に当接する。これにより、緯糸１２は、案内部材９２，９４の弧状誘導面により案内されて、緯糸入口５０から案内部材９２，９４の間に入り込む。
【００７６】
次いで、緯糸１２は、フィーラ本体２０の案内部材９２，９４の先端の弧状面に当接して、それら弧状誘導面により案内されて、徐々に屈曲されながら緯糸入口５２から案内部材９２，９４の間のスリット３０に入り込む。
【００７７】
次いで、緯糸１２は、案内部材９２，９４の間及びスリット３０内を移動し、最終的に開放空間３２，５４に移動する。この間、緯糸１２は、案内部材９２の案内面９６及び案内部材９４の案内面９８の双方に接して屈曲されながら筬打ち方向へ進む。
【００７８】
つまり、案内部材９２は、案内部材９４に対しフィーラ本体２０と反対側すなわち緯入れ側の側方に間隔をおいて設けられており、案内部材９２の案内面９６は、緯糸１２をこれよりフィーラ側に設けられた案内部材９４の案内面９８に押し付ける、補助案内面として機能する。
【００７９】
緯糸１２は、これがスリット３０を移動するとき、スリット３０を通過する光線を遮る。これにより、受光素子での受光量が変化して、受光量信号が変化するから、受光量信号の変化を基に緯糸１２の有無が検知される。
【００８０】
緯糸１２は、傾斜した案内面９６，９８に押圧されて屈曲しつつ、案内部材９２，９４の間を移動するから、移動途中において姿勢を変更されて、スリット３０内の緯糸部分の姿勢も変えられる。これにより、緯糸はスリット３０内に滞留する水を掻き出すようにスリット３０内を進むため、従来に比べ、より大きな揺らぎがスリット３０内の水に発生する。
【００８１】
緯糸１２が案内部材９２，９４を移動するときの状態を図８に示す。
【００８２】
緯糸１２は、矢印で示す高さ位置を先ず案内部材９４に当接してその案内面９８により押し上げられてスリット３０の上面に接触し、次いで案内部材９２に当接してその案内面９６により押し下げられて、ねじられる。
【００８３】
次いで、緯糸１２は、案内面９６，９８が重複されていることにより、図７の８Ａ点に移動されると、図８（Ａ）に示すように、さらにねじられる。
【００８４】
次いで、緯糸１２は、図７の８Ｂ点に移動されると、図８（Ｂ）に示すように、案内部材９４によりさらに押し上げられることにより、大きく屈曲されると共に、給糸側に引き寄せられる。
【００８５】
次いで、緯糸１２は、光軸５６の位置である図７の８Ｃ点に移動されると、図８（Ｃ）に示すように、反転した状態にねじられる。
【００８６】
次いで、緯糸１２は、図７の８Ｄ点に移動されると、図８（Ｄ）に示すように、案内部材９２によりさらに押し下げられることにより、スリット３０の高さ位置より下方に押し下げられて、スリット３０の下面に接触する。
【００８７】
上記のように、緯糸１２の通過を許す角度で上下方向におけるスリット３０の位置の近傍をスリット３０の延在方向及び上下方向の両者に交差する方向に伸びる傾斜案内面９６，９８を有する案内部材９２，９４を用いると、緯糸１２が姿勢を変更されて案内部材９２，９４の間を移動するから、スリット３０内の緯糸部分の姿勢も変えられる。
【００８８】
これにより、緯糸１２は筬打ち運動にともなって姿勢を変えながらスリット３０内に滞留する水を掻き出すようにスリット３０内を進むため、従来に比べ、より大きな揺らぎがスリット３０内の水に発生する。その結果、従来に比べ、水の揺らぎによる大きな光量変化がスリット３０を通過する光線に確実に発生し、受光素子での受光量信号の変化も大きくかつ確実に発生し、緯糸を確実に検知することができる。
【００８９】
図７に示すように、高さ位置が下方となる案内面９６を有する（反フィーラ本体２０側の）案内部材９２に、案内面９６から下方に弧状に突出する突出部１００を形成することが好ましい。突出部１００は、スリット３０内の光軸５６の位置に対応する箇所に形成されている。
【００９０】
そのような突出部１００を高さ位置が上方となる案内面９８を有する（フィーラ本体２０側の）案内部材９４に、案内面９８から下方に弧状に突出する突出部１００を形成してもよい。
【００９１】
そのような突出部１００を案内面９６（又は、９８）に形成すると、図７の８Ｃ点において、（図８（C）に示すように、）緯糸１２は、案内面９６と突出部１００との境界付近で当接し、当接点を支点として姿勢を反転させながら突出部１００を乗り越えることになる。これにより緯糸１２が大きく屈曲されるから、より大きな揺らぎがスリット３０内の水に発生し、受光量信号の変化もより大きくかつより確実に発生し、緯糸をより確実に検知することができる。
【００９２】
案内面９６，９８を緯糸１２の移動方向前方ほど下方となるように傾斜させる代わりに、図９に示すように案内面９６，９８を緯糸１２の移動方向前方（開放空間５４側）ほど上方となるように傾斜させてもよい。
【００９３】
図２に示す案内部材２２，２４について図１０に示すように、又は図７に示す案内部材９２，９４について図１１に示すように、１以上の凹部１０２をフィーラ本体２０側の案内部材２４，９４の案内面４８，９８に形成してもよいし、そのような１以上の凹部１０２を反フィーラ本体２０側の案内部材２２，９２の案内面４６，９６に形成してもよい。
【００９４】
すなわち、図１０における案内部材２４の凹部１０２は、緯糸の通過を許す角度で上下方向におけるスリット位置の近傍をスリット３０の延在方向及び上下方向の両者に交差する方向に伸びる案内面とすることができる。また、図１１における案内部材９４の凹部１０２で形成される案内面についても、前記と同様の案内面とすることができる。
【００９５】
前者の例についてさらに詳しく述べると、図１０における案内部材２２の案内面４６及び凸部で形成される案内面は、緯糸１２を案内部材２４の前記案内面に押し付ける補助案内面として機能する。
【００９６】
上記凹部１０２の代わりに、既に述べたように、１以上の凸部１００をフィーラ本体２０側の案内部材２４，９４の案内面４８，９８に形成してもよいし、そのような凸部１００を反フィーラ本体２０側の案内部材２２，９２の案内面４６，９６に形成してもよい。
【００９７】
さらに、図１０及び図１１に示すように、凸部１００及び凹部１０２をそれぞれ反フィーラ本体２０側の案内部材２２，９２の案内面４６，９６及びフィーラ本体２０側の案内部材２４，９４側の案内面４８，９８に形成してもよいし、凸部１００及び凹部１０２を前記と逆にそれぞれ案内面４８，９８及び４６及び９６に形成してもよい。この場合、緯糸が凸部１００及び凹部１０２を通過する際の張力の低下及び増大が防止される。
【００９８】
上記凸部１００及び凹部１０２は、少なくとも光軸５６より緯糸入口５０側の範囲を含む箇所、好ましくは光軸５６の近傍に形成される。そのようにすれば、緯糸１２がスリット３０内を通過する際に生じる水の揺らぎが緯糸の移動にともなって光軸まで確実に伝わるため、受光量信号をより確実に大きくすることができ、緯糸を確実に検知することができる。
【００９９】
案内面に凸部１００や凹部１０２を形成するならば、緯糸１２が大きく屈曲されるから、より大きな揺らぎがスリット３０内の水に発生し、受光量信号の変化もより大きくかつより確実に発生し、緯糸をより確実に検知することができる。
【０１００】
上記凸部１００及び凹部１０２は、図示の例のような半円形である必要はなく、鋸歯状、波状、三角状、台形状等緯糸の通過を許す適宜な形状とすることができる。
【０１０１】
図１２に示すように、矢印５８で示す緯糸の移動方向前方側ほど案内部材９２，９４の重複量が大きくなるように、案内面９６，９８の傾斜角度を異なる値としてもよいし、一方の案内面９８（又は９６）を傾斜させなくてもよい。
【０１０２】
図１３に示すように、スリット３０を、その高さ位置が開放空間５４側ほど高くなるように、傾斜させて、光軸５６を傾斜させてもよい。この例においては、反フィーラ本体２０側の案内部材２２の案内面４６は、スリット３０を横切って伸びるように、水平に延在されているのに対し、フィーラ本体２０側の案内部材２４の案内面４８は、重複量が開放空間５４側ほど多くなるように傾斜されている。
【０１０３】
しかし、フィーラ本体２０側の案内部材２４の案内面４８を水平に延在させ、反フィーラ本体２０側の案内部材２２の案内面４６を、案内部材２２，２４の重複量が開放空間５４側ほど多くなるように傾斜させてもよい。また、スリット３０自体を、前記と逆に、高さ位置が開放空間５４側ほど低くなるように、傾斜させて、光軸５６を傾斜させてもよい。
【０１０４】
図１４に示すように、案内部材２４をフィーラ本体２０よりも反緯入れ側に配置した例であり、複数の凹部１１０を一方の案内部材２４（又は、２２）に緯糸の移動方向へ間隔をおいて形成して、複数の凹凸を一方の案内部材２４（又は、２２）に緯糸の移動方向へ間隔をおいて形成している。
【０１０５】
各凹部１１０は、図１４（Ｂ）に示すように半円形であってもよいし、図１４（Ｃ）に示すように鋸歯状であってもよく、さらには他の形状を有していてもよい。図１４に示す実施例において、案内部材２４は、案内部材２４を前記した実施例と同様に、フィーラ本体２０よりも緯入れ側に配置すれば、スリット３０に対する防水機能が効果的に得られる。
【０１０６】
凹部１１０の代わりに、複数の凸部を一方の案内部材２４（又は、２２）に緯糸の移動方向へ間隔をおいて形成して、複数の凹凸を一方の案内部材２４（又は、２２）に緯糸の移動方向へ間隔をおいて形成してもよい。
【０１０７】
さらに、複数の凹部又は凸部を、フィーラ本体２０の上部材３４又は下部材３６の、スリット３０を構成する下端面又は上端面に設けることができる。そのような実施例において、緯糸１２を前記複数の凹部又は凸部に確実に押し付ける補助案内面を備えた案内部材２４を設けれることがより好ましい。
【０１０８】
上記のように複数の凹部（又は、凸部）を一方の案内部材に緯糸の移動方向へ間隔をおいて形成した場合、緯糸は、スリットを通過する途中において案内面の凹部又は凸部にならって進むことにより、振動を生じながらスリット内を進む。これにより、従来に比べ、より大きな揺らぎがスリット内の水に発生する。その結果、従来に比べ、大きな光量変化がスリットを通過する光線に確実に発生し、受光素子での受光量信号の変化も大きくかつ確実に発生し、緯糸を確実に検知することができる。
【０１０９】
図１５を参照するに、この実施例においては、線材としての複数の毛１１２を、フィーラ本体２０のスリット３０を形成している上下の面に、スリット３０の延在方向に間隔をおいて上下方向へ伸びると共に、上下方向における高さ位置が重複するように、糸検知用光線の光路を除いて、ブラシ状に配置している。毛１１２は、緯糸が当接したときに撓むが、緯糸にダメージを与えないような材料、例えばナイロン糸とすることができる。
【０１１０】
毛１１２をフィーラ本体２０に配置する代わりに、図１６に示すように、毛１１２をフィーラ本体２０の部材３４に組み付けられた保持部材１１４の下面に組み付けてもよいし、既に述べた各実施例における案内部材２２，２４（又は、９２，９４）をフィーラ本体２０の側方に配置し、案内面４６（又は、９６）に組み付けてもよい。
【０１１１】
そのような毛１１２を用いれば、緯糸は、スリット３０を通過する途中においてブラシ１１２の毛に係合しつつスリット３０内を通過するから、毛１１２の可撓性により姿勢を変更されて、スリット３０内の緯糸部分の姿勢も変えられる。これにより、従来に比べ、より大きな揺らぎがスリット３０内の水に発生する。その結果、従来に比べ、水の揺らぎによる大きな光量変化がスリット３０を通過する光線に確実に発生し、受光素子での受光量信号の変化が大きくかつ確実に発生し、緯糸を確実に検知することができる。
【０１１２】
本発明は、上記実施例に限定されず、その趣旨を逸脱しない限り、種々変更することができる。
【図面の簡単な説明】
【図１】本発明に係る緯糸フィーラを備えた織機の要部一実施例を示す斜視図である。
【図２】図１の織機で用いる緯糸フィーラを緯入れ方向から見た図である。
【図３】緯糸フィーラの電気回路の一実施例を示すブロック図である。
【図４】１つの案内手段を用いた実験により得た電気信号の波形を示す図である。
【図５】他の案内手段を用いた実験により得た電気信号の波形を示す図である。
【図６】さらに他の案内手段を用いた実験により得た電気信号の波形を示す図である。
【図７】緯糸フィーラの第２の実施例を示す図である。
【図８】図７に示す緯糸フィーラにおける緯糸に姿勢変化を示す図であって、（Ａ）は図７におけるＡ点、（Ｂ）は図７におけるＢ点、（Ｃ）は図７におけるＣ点、（Ｄ）は図７におけるＤ点における姿勢をそれぞれ示す図である。
【図９】緯糸フィーラの第３の実施例を示す図である。
【図１０】緯糸フィーラの第４の実施例を示す図である。
【図１１】緯糸フィーラの第５の実施例を示す図である。
【図１２】緯糸フィーラの第６の実施例を示す図である。
【図１３】緯糸フィーラの第７の実施例を示す図である。
【図１４】緯糸フィーラの第８の実施例を示す図であって、（Ａ）は緯糸の移動方向から見た図、（Ｂ）は凹部の一実施例を示す図、（Ｄ）は凹部の他の実施例を示す図である。
【図１５】緯糸フィーラの第９の実施例を示す図である。
【図１６】緯糸フィーラの第１０の実施例を示す図である。
【符号の説明】
１０  緯糸フィーラ
１２  緯糸
１４  経糸
１６  織布
２０  フィーラ本体
２２，２４，９２，９４  案内手段の案内部材
３０  スリット
３４，３６  フィーラ本体の案内部材
３８，４０  光ファイバ
４６，４８，９６，９８  案内面
５０，５２  緯糸受入口
５６  光軸
５８  緯糸の移動方向
１００  凸部
１０２，１１０  凹部
１１２  線材としての毛
１１４  保持部材
【図１】
0003881278.tif 000002
【図２】
0003881278.tif 000003
【図３】
0003881278.tif 000004
【図４】
0003881278.tif 000005
【図５】
0003881278.tif 000006
【図６】
0003881278.tif 000007
【図７】
0003881278.tif 000008
【図８】
0003881278.tif 000009
【図９】
0003881278.tif 000010
【図１０】
0003881278.tif 000011
【図１１】
0003881278.tif 000012
【図１２】
0003881278.tif 000013
【図１３】
0003881278.tif 000014
【図１４】
0003881278.tif 000015
【図１５】
0003881278.tif 000016
【図１６】
0003881278.tif 000017